(57)【特許請求の範囲】
【請求項１】
複数の電子装置収納室を備えた電子装置収納構造であって、
一の電子装置収納室と別の一の電子装置収納室とを隔てる仕切り壁を電子装置を電子装置収納室へ挿入する方向に対して横方向に撓まないように構成し、
前記仕切り壁に該仕切り壁から電子装置挿入方向に平行に延び、電子装置挿入方向に対して横方向に可撓性を有するハネ部を形成し、
前記ハネ部に電子装置挿入方向に対して横方向に延びる突起部を形成し、
前記ハネ部及び前記突起部は、電子装置収納室に電子装置が挿入されたときに前記突起部が電子装置を押圧することによって当該電子装置が電子装置収納室に保持されるように設計された、ことを特徴とする電子装置収納構造。
【発明の詳細な説明】
【技術分野】
【０００１】
本発明は、概して、複数の電子装置収納室を備えた電子装置収納構造に係り、特に、簡易な構成で電子装置の収納室への挿入の容易さと挿入後の収納室内での保持安定性とを両立させた電子装置収納構造に関する。
【背景技術】
【０００２】
従来、複数のＥＣＵ（Ｅｌｅｃｔｒｏｎｉｃ  Ｃｏｎｔｒｏｌ  Ｕｎｉｔ；電子制御装置）収納室を備えた収納構造又は収納箱が知られている（例えば、特許文献１及び２参照）。
【０００３】
従来構造の一例を図１及び２に示す。ここでは、一例として、ＥＣＵ１０１の収納室１０２がＥＣＵ挿入方向とは直交する方向に横並びに３室設けられた例えば樹脂製の収納構造１００を例に挙げて説明する。図１はＥＣＵ収納前の状態での斜視図、図２はＥＣＵを収納した状態での正面図である。
【０００４】
各収納室１０２内の側壁上には、ＥＣＵ挿入方向に直交する方向に凸な突起１０３が複数個設けられる。突起１０３は、収納室１０２内に挿入されたＥＣＵ１０１と当接してＥＣＵ１０１を収納室１０２内に保持する。
【０００５】
このような突起１０３によりＥＣＵ１０１を固定するためには、突起１０３がある程度の大きさの力でＥＣＵ１０１を側方から押圧する必要がある。そこで、従来構造１００では、外形を維持するために構造体１００の両側壁１０４及び天板１０５並びに底板１０６は高剛性の固定壁とする一方で、構造体１００内部を複数の収納室１０２に分離している仕切り壁１０７を可撓なものとし、ＥＣＵ１０１挿入時には仕切り壁１０７を撓ませて収納室１０２の横幅に余裕を作り出している。
【特許文献１】特開２００３−３０４０８３号公報
【特許文献２】特開２００５−１５３５９０号公報
【発明の開示】
【発明が解決しようとする課題】
【０００６】
しかしながら、上記のような従来構造１００では、図２に示すように、両側壁が仕切り壁１０７となる収納室１０２（図２では中央の収納室１０２）において、左右両隣りの収納室１０２にＥＣＵ１０１が挿入されると、仕切り壁１０７が横方向に撓み、それらの間の（図２では中央の）収納室１０２の横幅が狭まり、ＥＣＵ１０１が挿入できない又は挿入しづらい（挿入性が悪い）という状況が発生し得る。
【０００７】
逆に、隣り合う収納室１０２を隔てる仕切り壁１０７がＥＣＵ１０１挿入方向に対して横方向に全く撓まない剛体として構成されると、確かにＥＣＵ１０１の収納室１０２への挿入において仕切り壁１０７が引っ掛かってしまう状況は回避されるものの、仕切り壁１０７がＥＣＵ１０１を横方向に押圧する力が弱まり、収納室１０２がＥＣＵ１０１を固定・保持する安定性が悪くなる。
【０００８】
このように、従来の電子装置収納構造１００には、ＥＣＵ１０１の収納室１０２への挿入の容易さと挿入後の収納室１０２内での保持安定性とを簡易な構成で、すなわち構造１００の構成の複雑さや構造全体のサイズを大幅に増やすことなく、両立させるのが難しい、という課題がある。
【０００９】
本発明はこのような課題を解決するためのものであり、簡易な構成で電子装置の収納室への挿入の容易さと挿入後の収納室内での保持安定性とを両立させた電子装置収納構造を提供することを主たる目的とする。
【課題を解決するための手段】
【００１０】
上記目的を達成するための本発明の一態様は、複数の電子装置収納室を備えた電子装置収納構造であって、一の電子装置収納室と別の一の電子装置収納室とを隔てる仕切り壁を電子装置を電子装置収納室へ挿入する方向に対して横方向に撓まないように構成し、上記仕切り壁に該仕切り壁から電子装置挿入方向に平行に延び、電子装置挿入方向に対して横方向に可撓性を有するハネ部を形成し、該ハネ部に電子装置挿入方向に対して横方向に延びる突起部を形成し、上記ハネ部及び上記突起部は、電子装置収納室に電子装置が挿入されたときに上記突起部が電子装置を押圧することによって当該電子装置が電子装置収納室に保持されるように設計された、電子装置収納構造である。
【００１１】
この一態様において、上記電子装置は例えばＥＣＵであり、上記電子装置収納構造は例えば樹脂製である。
【００１２】
この一態様によれば、隣り合う電子装置収納室を隔てる仕切り壁が電子装置挿入方向に対して横方向に撓まないため、電子装置を電子装置収納室へ挿入しやすい。同時に、電子装置収納室外に突き出た可撓性を有するハネ部により、電子装置収納室へ挿入された電子装置は、ハネ部に設けられた突起部により挿入方向に対して横方向に押圧されて固定・保持される。
【００１３】
すなわち、この一態様によれば、簡易な構成により、電子装置の挿入性（挿入の容易さ）と電子装置収納室に挿入された電子装置の保持安定性とを両立させることができる。
【００１４】
また、この一態様によれば、上記のようにハネ部が弾性力を持つため、電子装置収納構造の横方向ずれが抑えられ、振動等に対する抑止効果を持たせることができる。
【発明の効果】
【００１５】
本発明によれば、簡易な構成で電子装置の収納室への挿入の容易さと挿入後の収納室内での保持安定性とを両立させた電子装置収納構造を提供することができる。
【発明を実施するための最良の形態】
【００１６】
以下、本発明を実施するための最良の形態について、添付図面を参照しながら実施例を挙げて説明する。なお、ＥＣＵボックスやＥＣＵ集中収容箱などと呼ばれる電子装置収納構造の基本概念やその活用方法等については当業者には既知であるため、詳しい説明を省略する。
【実施例】
【００１７】
以下、図３〜５を用いて、本発明の一実施例に係る電子装置収納構造について説明する。
【００１８】
図３は、電子装置を挿入する前の本実施例に係る電子装置収納構造３００の斜視図である。ここで、電子装置収納構造３００が収納する電子装置は、例えばＥＣＵ３０９である。
【００１９】
電子装置収納構造３００の外枠は、底板３０１と、天板３０２と、左右両側の平行な側壁３０３とが四角い枠状に組み立てられて成る。これら底板３０１、天板３０２、及び側壁３０３に囲まれた空間が電子装置３０９を収納するための空間として用いられる。
【００２０】
この電子装置収納空間には、底板３０１と天板３０２とをつなぐ仕切り板３０４が側壁３０３と平行に設けられ、当該空間を複数の電子装置収納室３０５に区切っている。ここでは、仕切り板３０４が２枚設けられ、３つの収納室３０５が形成されるものとする。
【００２１】
本実施例では、収納する電子装置３０９がいずれも同じ形・サイズの直方体であるものとし、これに合わせて収納室３０５もいずれも同じ形・サイズの直方体形状であるものとする。すなわち、側壁３０３及び仕切り壁３０４の高さは等しく、底板３０１と天板３０２は平行に保たれると共に、底板３０１、天板３０２、側壁３０３、及び仕切り板３０４はいずれも、電子装置３０９挿入方向長さが、後述する仕切り板３０４のハネ３０７を除き、等しいものとする。
【００２２】
収納室３０５の各々の内部の一方の側壁には、収納室３０５内に挿入された電子装置３０９の側面と当接し、電子装置３０９の挿入方向に対して横方向の動きを規制する突起３０６が設けられる。ここでは、一例として、内部突起３０６は、１つの収納室３０５の一方の側面に２つずつ設けられるものとする。
【００２３】
仕切り壁３０４には、仕切り壁３０４の電子装置３０９挿入方向における前端辺及び後端辺の少なくとも一方に、電子装置３０９挿入方向に平行に延びる平板状のハネ３０７が設けられる。
【００２４】
ハネ３０７は、図示するように、仕切り壁３０４と一体に形成され、電子装置３０９挿入方向において仕切り壁３０４の両側面のうち内部突起３０６が設けられていない方の側面と同一平面となる。
【００２５】
ハネ３０７の仕切り壁３０４の一方の側面からの連続平面である側面には突起３０８が設けられる。この突起３０８は、内部突起３０６と同様に、収納室３０５内に挿入された電子装置３０９の側面と当接して電子装置３０９の横方向の動きを規制するものである。
【００２６】
しかしながら、収納室３０５外に突き出たハネ３０７に一体に設けられた外部突起３０８は、内部突起３０６とは異なり、収納室３０５内部ではなく収納室３０５に挿入された電子装置３０９のうち収納室３０５外にはみ出した部分の側面と接する。
【００２７】
さらに、ハネ３０７が電子装置３０９挿入方向に対して横向きに可撓性を有するように、ハネ３０７の厚さは仕切り壁３０４の厚さより薄く形成される。すなわち、このハネ３０７の可撓性により外部突起３０８は収納室３０５内に挿入された電子装置３０９の側面を押圧し、保持固定する。
【００２８】
ここでは、一例として、ハネ３０７は、図示するように、１つの収納室３０５あたり２つずつ設けられるものとする。
【００２９】
以上説明した底板３０１、天板３０２、側壁３０３、仕切り壁３０４、内部突起３０６、ハネ３０７、及び外部突起３０８は、例えば樹脂製で、一体に形成されることが好ましく、外部突起３０８が収納室３０５内に挿入された電子装置３０９を押圧するようにハネ３０７が電子装置３０９挿入方向に対して横方向に可撓性を有する以外は、底板３０１、天板３０２、側壁３０３、及び仕切り壁３０４のいずれも撓まない程度の剛性を有するものとする。
【００３０】
すなわち、収納室３０５内に電子装置３０９を挿入する際には、ハネ３０７を挿入しようとしている収納室３０５より外側へ若干撓ませることにより、電子装置３０９挿入方向において電子装置３０９と干渉するものはなくなり、電子装置３０９を滑らかに収納室３０５内へ挿入することができる。
【００３１】
換言すれば、ハネ３０７は、収納室３０５内に電子装置３０９が挿入・収納されたときに、電子装置３０９が動かないようにすることができる程度の押圧力で外部突起３０８が電子装置３０９を押圧するような撓みを発生させるように構成される。
【００３２】
次いで、本実施例に係る電子装置収納構造３００の収納室３０５内に電子装置３０９が挿入された状態を図４及び５を用いて説明する。図４は電子装置を挿入した後の本実施例に係る電子装置収納構造３００の正面図であり、図５は図４のＡ−Ａ断面図である。
【００３３】
図示するように、電子装置収納構造３００の収納室３０５内に挿入された電子装置３０９は、内部突起３０６と外部突起３０８とにより左右から狭持される。各収納室３０５の一方の側面には内部突起３０６が設けられ、他方の側面側には外部突起３０８が設けられるため、いずれの電子装置３０９も収納室３０５内に挿入されると一方の側面が内部突起３０６に当接し、他方の側面が外部突起３０８により押圧されることになる。
【００３４】
図５に例示するように、ハネ３０７は電子装置３０９挿入方向に対して仕切り壁３０４の前側に設けられても後ろ側に設けられてもよい。
【００３５】
このハネ３０７の撓みによって外部突起３０８により電子装置３０９が押圧されることにより、電子装置３０９は安定した状態で収納室３０５内に保持される。
【００３６】
ここで、仕切り壁３０４（及び側壁３０３）は撓まないように構成され、収納室３０５の外側に設けられたハネ３０７のみが撓んで電子装置３０９を固定するための横方向への押圧力を発生させるため、いずれかの収納室３０５に電子装置３０９が収納された状態でも撓みが生じているのは当該収納室３０５の外に設けられた当該収納室３０５に対応するハネ３０７のみであり、当該収納室３０５の仕切り壁３０４に動きは生じないため、当該収納室３０５の隣りの収納室３０５に電子装置３０９を挿入する際に従来のように撓んだ仕切り壁３０４が挿入性を悪化させることがない。
【００３７】
以上をまとめると、従来は電子装置収納室の仕切り壁自体に可撓性を持たせてその撓みによる押圧力で収納室内に挿入された電子装置を固定・保持していたところ、本実施例では、仕切り壁３０４には収納室３０５を仕切ると共に挿入性確保のために収納室３０５の形状を保持させる役割のみを担わせ、構造体の一部の撓みを利用した簡易な構成による電子装置の固定保持は、収納室３０５ごとに収納室３０５外に設けられた可撓性を有するハネ３０７及び外部突起３０８により実現される。
【００３８】
したがって、本実施例によれば、電子装置収納構造の構成の複雑さや構造全体のサイズを大幅に増やすことなく、電子装置の収納室への挿入の容易さと挿入後の収納室内での保持安定性とを適切に両立させることができる。
【００３９】
また、本実施例によれば、上記のような弾性力を持つハネ３０７を設けることで、電子装置収納構造３００の横方向ずれが抑えられ、振動等に対する抑止効果を持たせることもできる。
【００４０】
なお、上記一実施例において、収納室が３つであるのは一例に過ぎず、本発明はあらゆる数の収納室を持つ電子装置収納構造に適用・応用可能である。
【産業上の利用可能性】
【００４１】
本発明は、複数の電子装置収納室を備えた電子装置収納構造全般に利用できる。収納されるものは上記一実施例のようなＥＣＵに限られない。
【００４２】
本発明に係る電子装置収納構造が上記一実施例のように複数のＥＣＵを搭載する場合、例えば車両に搭載され、複数の車載ＥＣＵを一ヶ所に束ねてハーネス等の取り回しを容易にするＥＣＵボックスとして利用されることが考えられる。このような場合、本発明に係る電子装置収納構造は搭載される車両の外観、重量、サイズ、走行性能等を問わない。
【図面の簡単な説明】
【００４３】
【図１】電子装置を挿入する前の従来の電子装置収納構造の一例を示す斜視図である。
【図２】電子装置を挿入した後の従来の電子装置収納構造の一例を示す正面図である。
【図３】電子装置を挿入する前の本発明の一実施例に係る電子装置収納構造の斜視図である。
【図４】電子装置を挿入した後の本発明の一実施例に係る電子装置収納構造の正面図である。
【図５】図４のＡ−Ａ断面図である。
【符号の説明】
【００４４】
３００  電子装置収納構造
３０１  底板
３０２  天板
３０３  側壁
３０４  仕切り壁
３０５  電子装置収納室
３０６  内部突起
３０７  ハネ
３０８  外部突起
３０９  電子装置
【図１】
0004492545.tif 000002
【図２】
0004492545.tif 000003
【図３】
0004492545.tif 000004
【図４】
0004492545.tif 000005
【図５】
0004492545.tif 000006